(57)【要約】【課題】  ポンプロータの摺動抵抗を低減し、ポンプ効率を向上することのできるラジアルピストンポンプを提供する。【解決手段】  流体を吸入して吐出するポンプ部１０と、ポンプ部１０を駆動するモータ部１２とを一体的に備える。ポンプ部１０には、ポンプ軸部４４を有するポンプハウジング１４と、ポンプ軸部４４に回転可能に嵌合されかつモータ部１２のモータ出力軸３１に従動可能に嵌合されたポンプロータ４０とが設けられる。モータ部１２の駆動によりポンプ部１０から吐出される流体がモータ部１２内を経由して外部へ吐出される。ポンプ軸部４４とポンプロータ４０との間に、ポンプロータ４０の回転中心線上においてポンプロータ４０のスラスト位置を規定するためのポンプロータ規定手段６３が設けられる。【選択図】        図１
2005220841.tif 000002
【特許請求の範囲】
【請求項１】
流体を吸入して吐出するポンプ部と、そのポンプ部を駆動するモータ部とを一体的に備え、
前記ポンプ部には、ポンプ軸部を有するポンプハウジングと、前記ポンプ軸部に回転可能に嵌合されかつ前記モータ部のモータ出力軸に従動可能に嵌合されたポンプロータとが設けられ、
前記モータ部の駆動により前記ポンプ部から吐出される流体が前記モータ部内を経由して外部へ吐出されるラジアルピストンポンプであって、
前記ポンプ軸部と前記ポンプロータとの間に、ポンプロータの回転中心線上においてそのポンプロータのスラスト位置を規定するためのポンプロータ規定手段が設けられていることを特徴とするラジアルピストンポンプ。
【請求項２】
請求項１に記載のラジアルピストンポンプであって、
前記モータ部には、磁石が設けられたモータハウジングと、前記磁石に対向するアーマチュアコア及び前記モータ出力軸を備えるアーマチュアとが設けられ、
前記磁石と前記アーマチュアコアとは、相互間の磁束授受部分においてアーマチュアを反ポンプロータ方向へ付勢する磁力を発生する関係をもって設けられ、
前記モータハウジングと前記モータ出力軸との間に、モータ出力軸の回転中心線上においてそのモータ出力軸のスラスト位置を規定するためのモータ出力軸規定手段が設けられている
ことを特徴とするラジアルピストンポンプ。
【請求項３】
請求項１に記載のラジアルピストンポンプであって、
前記モータ部には、ステータが設けられたモータハウジングと、前記ステータに対向する磁石及び前記モータ出力軸を備えるモータロータとが設けられ、
前記ステータと前記磁石とは、相互間の磁束授受部分においてモータロータを反ポンプロータ方向へ付勢する磁力を発生する関係をもって設けられ、
前記モータハウジングと前記モータ出力軸との間に、モータ出力軸の回転中心線上においてそのモータ出力軸のスラスト位置を規定するためのモータ出力軸規定手段が設けられている
ことを特徴とするラジアルピストンポンプ。
【請求項４】
流体を吸入して吐出するポンプ部と、前記ポンプ部を駆動するモータ部とを一体的に備え、
前記ポンプ部には、ポンプ軸部を有するポンプハウジングと、前記ポンプ軸部に回転可能に嵌合されかつ前記モータ部のモータ出力軸に固定されたポンプロータとが設けられ、
前記モータ部には、磁石が設けられたモータハウジングと、前記磁石に対向するアーマチュアコア及び前記モータ出力軸を備えるアーマチュアとが設けられ、
前記モータ部の駆動により前記ポンプ部から吐出される流体が前記モータ部内を経由して外部へ吐出されるラジアルピストンポンプであって、
前記磁石と前記アーマチュアコアとは、相互間の磁束授受部分においてアーマチュアを反ポンプロータ方向へ付勢する磁力を発生する関係をもって設けられ、
前記モータハウジングと前記モータ出力軸との間に、モータ出力軸の回転中心線上においてそのモータ出力軸のスラスト位置を規定するためのモータ出力軸規定手段が設けられている
ことを特徴とするラジアルピストンポンプ。
【請求項５】
流体を吸入して吐出するポンプ部と、前記ポンプ部を駆動するモータ部とを一体的に備え、
前記ポンプ部には、ポンプ軸部を有するポンプハウジングと、前記ポンプ軸部に回転可能に嵌合されかつ前記モータ部のモータ出力軸に固定されるポンプロータとが設けられ、
前記モータ部には、ステータが設けられたモータハウジングと、前記ステータに対向する磁石及び前記モータ出力軸を備えるモータロータとが設けられ、
前記モータ部の駆動により前記ポンプ部から吐出される流体が前記モータ部内を経由して外部へ吐出されるラジアルピストンポンプであって、
前記ステータと前記磁石とは、相互間の磁束授受部分においてモータロータを反ポンプロータ方向へ付勢する磁力を発生する関係をもって設けられ、
前記モータハウジングと前記モータ出力軸との間に、モータ出力軸の回転中心線上においてそのモータ出力軸のスラスト位置を規定するためのモータ出力軸規定手段が設けられている
ことを特徴とするラジアルピストンポンプ。
【発明の詳細な説明】
【技術分野】
【０００１】
本発明は、ポンプロータの回転にともなうピストンの往復運動による容積変化を利用して流体のポンプ作用を行なうラジアルピストンポンプに関する。
【背景技術】
【０００２】
従来例にかかるラジアルピストンポンプを説明する。なお、流体として、例えば燃料を圧送する燃料ポンプに用いられるラジアルピストンポンプを例示する。
図７に示すように、ラジアルピストンポンプは、燃料を吸入して吐出するポンプ部１１０と、そのポンプ部１１０の右側に設けられかつポンプ部１１０を駆動するモータ部１１２とを一体的に備えている。ポンプ部１１０のポンプハウジング１１４は、ポンプハウジング筒１１５とポンプカバー１１６とを備えている。
また、モータ部１１２のモータハウジング１１８は、モータハウジング筒１１９とモータカバー１２０とを備えている。そして、ポンプハウジング筒１１５とモータハウジング筒１１９は隔壁１２２を介して接続されている。
ポンプ部１１０内には、ポンプハウジング１１４に設けられたポンプ軸部１４４に回転可能に嵌合されかつモータ部１１２のモータ出力軸１３１に従動可能に嵌合されたポンプロータ１４０が設けられている。
モータ部１１２の駆動によりポンプ部１１０から吐出される燃料が、モータ部１１２内を経由して外部へ吐出されるようになっている。
また、上記のほか、ポンプロータの回転にともなうピストンの往復運動による容積変化を利用して流体の吸入及び吐出といったポンプ作用を行なうラジアルピストンポンプとしては、例えば特許文献１、２に記載されたものがある。
【特許文献１】特開平３−１５６７２号公報
【特許文献２】特開平６−３３０８４８号公報
【発明の開示】
【発明が解決しようとする課題】
【０００３】
ところで、前記ラジアルピストンポンプにおいて、モータ部１１２の内部空間１２６内の燃料圧力は、ポンプ部１１０の内部空間１２４内の燃料圧力に比べて高圧である。このため、ポンプロータ１４０が、モータ部１１２の内部空間１２６内の燃料圧力による荷重を受けてポンプカバー方向（図７において左方）へ付勢される。そして、ポンプロータ１４０のスラスト位置（とくに、ポンプカバー方向に関するスラスト位置）は、ポンプカバー１１６の内側面１１６ａと、その内側面１１６ａに対向するポンプロータ１４０の端面１４０との当接によって規定されていた。したがって、ポンプロータ１４０の回転時に、ポンプカバー１１６の内側面１１６ａに対してポンプロータ１４０の端面１４０ａが摺動接触するため、摺動抵抗が大きく、ポンプ効率が低下するという問題があった。
【０００４】
本発明が解決しようとする課題は、ポンプロータの摺動抵抗を低減し、ポンプ効率を向上することのできるラジアルピストンポンプを提供することにある。
【課題を解決するための手段】
【０００５】
前記した課題は、本発明の特許請求の範囲に記載された構成を要旨とするラジアルピストンポンプによって解決することができる。
すなわち、特許請求の範囲の請求項１に記載されたラジアルピストンポンプによると、ポンプ部におけるポンプ軸部とポンプロータとの間に設けられたポンプロータ規定手段により、ポンプロータのスラスト位置が規定される。このため、ポンプロータの摺動抵抗を低減し、ポンプ効率を向上することができる。
【０００６】
また、特許請求の範囲の請求項２に記載されたラジアルピストンポンプによると、モータ部における磁石とアーマチュアコアとの間の磁束授受部分において発生する磁力によりアーマチュアが反ポンプロータ方向へ付勢される。また、モータ部におけるモータハウジングとモータ出力軸との間に設けられたモータ出力軸規定手段により、モータ出力軸のスラスト位置が規定される。したがって、アーマチュアのポンプロータ方向への荷重を低減あるいはキャンセルすることができるので、ポンプロータの摺動抵抗の低減に有利である。
【０００７】
また、特許請求の範囲の請求項３に記載されたラジアルピストンポンプによると、モータ部におけるステータと磁石との間の磁束授受部分において発生する磁力によりモータロータが反ポンプロータ方向へ付勢される。また、モータ部におけるモータハウジングとモータ出力軸との間に設けられたモータ出力軸規定手段により、モータ出力軸のスラスト位置が規定される。したがって、モータロータのポンプロータ方向への荷重を低減あるいはキャンセルすることができるので、ポンプロータの摺動抵抗の低減に有利である。
【０００８】
また、特許請求の範囲の請求項４に記載されたラジアルピストンポンプによると、モータ部における磁石とアーマチュアコアとの間の磁束授受部分において発生する磁力によりアーマチュアが反ポンプロータ方向へ付勢される。また、モータ部におけるモータハウジングとモータ出力軸との間に設けられたモータ出力軸規定手段により、モータ出力軸及びポンプロータのスラスト位置が規定される。このため、ポンプロータの摺動抵抗を低減し、ポンプ効率を向上することができる。
【０００９】
また、特許請求の範囲の請求項５に記載されたラジアルピストンポンプによると、モータ部におけるステータと磁石との間の磁束授受部分において発生する磁力によりモータロータが反ポンプロータ方向へ付勢される。また、モータ部におけるモータハウジングとモータ出力軸との間に設けられたモータ出力軸規定手段により、モータ出力軸及びポンプロータのスラスト位置が規定される。このため、ポンプロータの摺動抵抗を低減し、ポンプ効率を向上することができる。
【発明の効果】
【００１０】
本発明のラジアルピストンポンプによれば、ポンプロータの摺動抵抗を低減し、ポンプ効率を向上することができる。
【発明を実施するための最良の形態】
【００１１】
以下、本発明を実施するための最良の形態を以下の実施例を参照して説明する。
【実施例１】
【００１２】
本発明の実施例１にかかるラジアルピストンポンプを説明する。本実施例では、流体として、例えば燃料を圧送する燃料ポンプに用いられるラジアルピストンポンプを例示する。図１に示すように、ラジアルピストンポンプは、燃料を吸入して吐出するポンプ部１０と、そのポンプ部１０の右側に設けられかつ該ポンプ部１０を駆動するモータ部１２とを一体的に備えている。
ポンプ部１０の外郭を形成するポンプハウジング１４は、ほぼ円筒状のポンプハウジング筒１５と、その一端面（図１において左端面）を閉塞するポンプカバー１６とを備えている。
また、モータ部１２の外郭を形成するモータハウジング１８は、ほぼ円筒状のモータハウジング筒１９と、その一端面（図１において右端面）を閉塞するモータカバー２０とを備えている。
そして、ポンプハウジング筒１５とモータハウジング筒１９は、隔壁２２を介して接続されている。隔壁２２は、ポンプ部１０の内部空間２４とモータ部１２の内部空間２６を区画している。
また、モータカバー２０には、モータ部１２の内部空間２６を外部に連通する吐出口２７が形成されている。
なお、モータカバー２０には、図示しないが、アーマチュア３０（後述する）のコンミュテータに対して摺動接触するブラシ、及び、そのブラシに導通接続されたチョークコイル等が組込まれている。
【００１３】
前記モータ部１２は、周知の直流モータにより構成されており、そのモータ部１２の内部空間２６でモータ出力軸３１と一体に回転するアーマチュア３０と、前記モータハウジング筒１９の内周面に配設された複数の磁石３２とを備えている。
アーマチュア３０は、モータ出力軸３１とアーマチュアコア３４とコンミュテータ（図示省略）とを備えている。アーマチュアコア３４には、図示しないコイルが巻装されている。
また、モータ出力軸３１の一端部（図１において右端部）は、前記モータカバー２０の内側面に形成された軸受穴３６に軸受３７を介して回転可能に支持されている。また、モータ出力軸３１の他端部は、後述するポンプロータ４０に従動可能に嵌合されている。
【００１４】
前記ポンプ部１０は、そのポンプ部１０の内部空間２４で前記モータ出力軸３１に従動して回転するほぼ円形のポンプロータ４０を備えている。ポンプロータ４０の軸心部には、前記ポンプカバー１６側に開口するほぼ有底円筒状の嵌合穴４１、及び、その反対側に突出するほぼ円柱状のロータ軸部４２が同一軸線上に形成されている。
また、前記ポンプカバー１６の軸心部の内側面には、ほぼ円柱状のポンプ軸部４４が突出されている。ポンプ軸部４４には、ポンプロータ４０の嵌合穴４１が回転可能に嵌合されている。ポンプ軸部４４の突出端面４４ａと、ポンプロータ４０の嵌合穴４１の底面は、所定の隙間を隔てて対向している。これとともに、ポンプカバー１６の内側面１６ａと、その内側面１６ａに対向するポンプロータ４０の端面４０ａは、所定の隙間を隔てて対向している。
また、前記隔壁２２の軸心部には、軸受孔４６が貫通状に形成されている。軸受孔４６には、ロータ軸部４２が軸受４８を介して回転可能に支持されている。また、ロータ軸部４２には、異形断面（例えば、Ｄ形断面）の嵌合連結穴４２ａが形成されている。嵌合連結穴４２ａには、前記モータ出力軸３１の左端部における異形断面（例えば、Ｄ形断面）の連結軸部３１ａが従動可能に嵌合されている。
なお、ポンプロータ４０は、ポンプカバー１６のポンプ軸部４４、及び、モータ出力軸６６の連結軸部３１ａに対して所定範囲内で軸方向に摺動可能に嵌合されている。
【００１５】
前記ポンプカバー１６のポンプ軸部４４には、吸入通路５０及び吐出通路５２が形成されている。
吸入通路５０の一端部（図１において左端部）は外部に連通されている。また、吸入通路５０の他端部（図１において右端部）は、前記ポンプロータ４０の嵌合穴４１の周壁に形成されかつシリンダ穴５６（後述する）に連通する連通孔４３に連通可能に形成されている。
また、吐出通路５２の一端部（図１において左端部）は、前記ポンプロータ４０の連通孔４３に連通可能に形成されている。また、吐出通路５２の他端部（図１において右端部）は、ポンプ軸部４４の突出端面４４ａに開放されている。
また、前記ポンプロータ４０のロータ軸部４２には、軸方向に貫通する適数本（図１では、２本を示す。）の連通路５４が形成されている。連通路５４の一端部（図１において左端部）は、前記嵌合穴４１の底面に開放されている。また、連通路５４の他端部（図１において右端部）は、前記モータ部１２の内部空間２６に開放されている。
【００１６】
前記ポンプロータ４０の外周部には、円周方向に等分する筒所に放射状に延びる複数（図１では２個を示す。）の円筒状のシリンダ穴５６が形成されている。シリンダ穴５６内には、それぞれ球状のピストン５７がポンプロータ４０の径方向に往復動可能に収納されている。シリンダ穴５６は、その底面に開口する連通孔４３を介して前記嵌合穴４１に連通している。
【００１７】
前記ポンプハウジング筒１５の内周面には、前記ピストン５７が移動すなわち摺動及び／又は転動するカムプロフィール６０が形成されている。なお、ポンプハウジング筒１５はカムリングを兼用するものであるが、カムプロフィール６０を有するカムリングをポンプハウジング筒１５と別個に設けることができる。
前記カムプロフィール６０の中心は、ポンプロータ４０の回転中心に対して偏心している。なお、ポンプロータ４０の回転中心は、ポンプ軸部４４及びモータ出力軸３１（図１参照）と同一軸線上に位置している。
したがって、ポンプロータ４０が回転すると、遠心力により外方へ付勢されるピストン５７がカムプロフィール６０に沿って移動しながらシリンダ穴５６内を往復動する。そのピストン５７の往復動により、シリンダ穴５６内（詳しくは、ピストン５７によって閉塞される空間であるシリンダ室５８）の容積が変化する。その容積変化を利用して燃料のポンプ作用が行なわれる。
【００１８】
しかして、前記ポンプロータ４０の嵌合穴４１の底面には、同一軸線上に位置する中空円筒状の凹部６２が形成されている。凹部６２内には、ボール６３が収容されている。ボール６３は、前記ポンプカバー１６のポンプ軸部４４の突出端面４４ａ上を摺動及び／又は転動可能に点接触することにより、ポンプロータ４０のスラスト位置（とくに、ポンプカバー方向に関するスラスト位置）を規定する。
したがって、ボール６３により、ポンプロータ４０の嵌合穴４１の底面とポンプ軸部４４の突出端面４４ａとの間に所定の隙間が確保されるとともに、ポンプカバー１６の内側面１６ａとポンプロータ４０の端面４０ａとの間に所定の隙間が確保される。なお、ボール６３は、本明細書でいう「ポンプロータ規定手段」に相当する。
【００１９】
次に、上記したラジアルピストンポンプの作動について説明する。
モータ部１２の駆動によりアーマチュア３０が回転する。アーマチュア３０の回転力が、モータ出力軸３１からポンプロータ４０に伝わり、ポンプロータ４０がポンプ軸部４４の周りを所定方向へ回転する。ここで、ポンプロータ４０の回転中心とポンプハウジング筒１５のカムプロフィール６０の中心とが所定量だけ偏心して設けられているため、ポンプロータ４０の回転によりピストン５７がシリンダ穴５６内を往復動する。
そして、ポンプロータ４０とカムプロフィール６０との間隔が増大するにつれて、ピストン５７がシリンダ穴５６内を外方へ移動（いわゆる往動）することにより、シリンダ室５８の容積が増大する。このとき、シリンダ室５８が連通孔４３を介して吸入通路５０と連通する。これにより、燃料が吸入通路５０から連通孔４３を介してシリンダ室５８に吸入される吸入行程が行なわれる。
また、ポンプロータ４０とカムプロフィール６０との間隔が減少するにつれて、ピストン５７がシリンダ穴５６内を底方へ移動（いわゆる復動）することにより、シリンダ室５８の容積が減少する。このとき、シリンダ室５８が連通孔４３を介して吐出通路５２と連通する。これにより、シリンダ室５８内の燃料が連通孔４３から吐出通路５２、連通路５４を通じてモータ部１２の内部空間２６に流出される吐出行程が行なわれる。また、モータ部１２の内部空間２６に吐出した燃料は、その内部空間２６を経由して、モータカバー２０の吐出口２７を通じて外部へ吐出される。
【００２０】
ところで、前記ラジアルピストンポンプにおいて、モータ部１２の内部空間２６内の燃料圧力は、ポンプ部１０の内部空間２４内の燃料圧力に比べて高圧である。このため、ポンプロータ４０が、モータ部１２の内部空間２６内の燃料圧力による荷重を受けてポンプカバー１６側へ付勢される。しかして、ポンプカバー１６のポンプ軸部４４とポンプロータ４０との間にボール６３が介在されているため、ポンプロータ４０が所定のスラスト位置に規定される。ポンプロータ４０の所定のスラスト位置とは、ポンプロータ４０の嵌合穴４１の底面とポンプ軸部４４の突出端面４４ａとの間に燃料の流通経路に必要な所定の隙間が確保されるとともに、ポンプカバー１６の内側面１６ａとポンプロータ４０の端面４０ａとの間の摺動接触を回避するために必要な所定の隙間が確保される位置である。
【００２１】
上記したラジアルピストンポンプによると、ポンプ部１０におけるポンプ軸部４４とポンプロータ４０との間に設けられたボール６３により、ポンプロータ４０のスラスト位置（とくに、モータカバー方向に関するスラスト位置）が規定される。このため、ポンプロータ４０の嵌合穴４１の底面とポンプ軸部４４の突出端面４４ａとの間に燃料の流通経路が確保されるとともに、ポンプカバー１６の内側面１６ａとポンプロータ４０の端面４０ａとの摺動接触が回避される。したがって、ポンプカバー１６の内側面１６ａに対するポンプロータ４０の端面４０ａの摺動接触による摺動抵抗を低減し、これによりポンプ効率を向上することができる。
【実施例２】
【００２２】
次に、本発明の実施例２にかかるラジアルピストンポンプを説明する。本実施例は前記実施例１の一部を変更したものであるからその変更部分について詳述し、重複する説明は省略する。なお、以降の実施例についても同様に重複する説明は省略する。
すなわち、実施例２は、図２に示すように、前記実施例１（図１参照）のラジアルピストンポンプの直流モータのモータ部１２に代えて、ブラシレスモータによりモータ部６４が構成されている。
本実施例のモータ部６４においては、前記実施例１におけるアーマチュア３０（図１参照）に代えて、モータロータ６５がモータハウジング１８内に回転可能に支持されている。
モータロータ６５は、モータ出力軸６６と、そのモータ出力軸６６に圧入された上下一対のステンレス製の支持部材６７と、その両支持部材６７に圧入された円筒状の電磁ステンレス製のヨーク６８と、そのヨーク６８の外周に樹脂製の接着剤により接着された周方向に４つの磁極を持つ円筒状の磁石６９とを備えている。磁石６９は、ステータ７０（後述する）に対して所定の隙間を隔てて対向している。なお、ポンプロータ４０のロータ軸部４２の嵌合連結穴４２ａには、モータ出力軸６６の連結軸部６６ａが、前記モータ出力軸３１の連結軸部３１ａ（図１参照）と同様に従動可能に嵌合されている。
【００２３】
また、前記実施例１における磁石３２（図１参照）に代えて、ステータ７０がモータハウジング１８のモータハウジング筒１９の内周面に設けられている。
ステータ７０は、ステータコア７１と、そのステータコア７１を保持する樹脂製のホルダ７２と、ステータコア７１に巻装されたステータコイル７３とを備えている。
【００２４】
次に、上記したラジアルピストンポンプの作動について説明する。
モータ部６４の駆動によりモータロータ６５が回転する。モータロータ６５の回転力が、モータ出力軸６６からポンプロータ４０に伝わり、ポンプロータ４０がポンプ軸部４４の周りを所定方向へ回転する。これにより、前記と同様に、ピストン５７の往復運動による容積変化を利用して燃料のポンプ作用が行なわれ、ポンプ部１０から吐出される燃料がモータ部６４内を経由して外部へ吐出される。
【００２５】
上記した実施例２のラジアルピストンポンプにおいても、ポンプ部１０におけるポンプ軸部４４とポンプロータ４０との間に設けられたボール６３により、ポンプロータ４０のスラスト位置（とくに、ポンプカバー方向に関するスラスト位置）が規定される。したがって、前記実施例１と同様、ポンプカバー１６の内側面１６ａに対するポンプロータ４０の端面４０ａの摺動接触による摺動抵抗を低減し、これによりポンプ効率を向上することができる。
【実施例３】
【００２６】
次に、本発明の実施例３にかかるラジアルピストンポンプを説明する。本実施例は、図３に示すように、前記実施例１のラジアルピストンポンプ（図１参照）に、モータ出力軸３１のスラスト位置を規定するためのボール７６を設けたものである。
詳しくは、モータカバー２０の軸受穴３６の底面には、同一軸線上に位置する凹部７５が形成されている。凹部７５内には、ボール７６が収容されている。ボール７６は、モータ出力軸３１の当該端面３１ｂ上を摺動及び／又は転動可能に点接触することにより、モータ出力軸３１のスラスト位置（とくに、モータカバー方向に関するスラスト位置）を規定する。なお、ボール７６は、本明細書でいう「モータ出力軸規定手段」に相当する。
【００２７】
また、前記磁石３２と前記アーマチュアコア３４とは、相互間の磁束授受部分においてアーマチュア３０を反ポンプロータ方向（図３において右方）へ付勢する磁力を発生する関係をもって設けられている。
例えば、磁石３２とアーマチュアコア３４との相対位置をずらすことにより、アーマチュア３０を反ポンプロータ方向へ付勢する磁力を調整することができる。また、磁石３２とアーマチュアコア３４との相対長さを変えること、例えばアーマチュアコア３４に比べて磁石３２をポンプロータ方向（図３において左方）へ長く延ばすことにより、アーマチュア３０を反ポンプロータ方向（図３において右方）へ付勢する磁力を調整することができる。また、磁石３２とアーマチュアコア３４との相対位置をずらす量や、磁石３２とアーマチュアコア３４との相対長さを変える量は、アーマチュア３０の回転力を確保しながら、アーマチュア３０を付勢する磁力を得ることのできる値に設定することが望ましい。
このため、磁石３２とアーマチュアコア３４との磁束授受部分において、アンバランスを直そうとする磁力、すなわちアーマチュア３０を反ポンプロータ方向（図３において右方）へ付勢する磁力が発生する。これにより、アーマチュア３０のモータ出力軸３１がボール７６に押し当てられる。
なお、モータ出力軸３１は、軸受３７、及び、モータ出力軸３１の連結軸部３１ａに対して所定範囲内で軸方向に摺動可能に嵌合されている。
【００２８】
上記したラジアルピストンポンプによると、モータ部１２における磁石３２とアーマチュアコア３４との間の磁束授受部分において発生する磁力によりアーマチュア３０が反ポンプロータ方向（図３において右方）へ付勢される。また、モータ部１２におけるモータハウジング１８とモータ出力軸３１との間に設けられたボール７６により、モータ出力軸３１のスラスト位置が規定される。したがって、アーマチュア３０のポンプロータ方向（図３において左方）への荷重を低減あるいはキャンセルすることができるので、ポンプロータ４０の摺動抵抗の低減に有利である。
【００２９】
この点について詳述する。例えば、アーマチュア３０がポンプロータ方向（図３において左方）へ軸移動すると、モータ出力軸３１によりポンプロータ４０がポンプカバー方向（図３において左方）へ付勢されることにより、ポンプロータ４０の摺動抵抗の増加を招くことが懸念される。しかし、本実施例によれば、前に述べたように、アーマチュア３０のポンプロータ方向への荷重を低減あるいはキャンセルすることができるので、アーマチュア３０のポンプロータ方向への軸移動によるポンプロータ４０の摺動抵抗の増加を回避することができる。
【実施例４】
【００３０】
次に、本発明の実施例４にかかるラジアルピストンポンプを説明する。本実施例は、図４に示すように、前記実施例３のラジアルピストンポンプ（図３参照）の直流モータのモータ部１２に代えて、ブラシレスモータによりモータ部６４が構成されている。モータ部６４の基本的構成については、前記実施例２（図２参照）と同様であるから同一部位に同一符号を付して重複する説明は省略する。
本実施例において、ボール７６は、モータロータ６５のモータ出力軸６６のスラスト位置を規定する。
さらに、磁石６９とステータ７０とは、相互間の磁束授受部分においてモータロータ６５を反ポンプロータ方向（図４において右方）へ付勢する磁力を発生する関係をもって設けられている。
例えば、磁石６９とステータ７０との相対位置をずらすことにより、モータロータ６５を反ポンプロータ方向へ付勢する磁力の大きさを調整することができる。また、磁石６９とステータ７０との相対長さを変えること、例えばステータ７０に比べて磁石６９をポンプロータ方向（図４において左方）へ長く延ばすことにより、モータロータ６５を反ポンプロータ方向（図４において右方）へ付勢する磁力の大きさを調整することができる。また、磁石６９とステータ７０との相対位置をずらす量や、磁石６９とステータ７０との相対長さを変える量は、モータロータ６５の回転力を確保しながら、モータロータ６５を付勢する磁力を得ることのできる値に設定することが望ましい。
このため、磁石６９とステータ７０との磁束授受部分において、アンバランスを直そうとする磁力、すなわちモータロータ６５を反ポンプロータ方向（図４において右方）へ付勢する磁力が発生する。これにより、モータロータ６５のモータ出力軸６６がボール７６に押し当てられる。
なお、モータ出力軸６６は、軸受３７、及び、モータ出力軸６６の連結軸部（３１ａ）に対して所定範囲内で軸方向に摺動可能に嵌合されている。
【００３１】
上記したラジアルピストンポンプによると、モータ部６４における磁石６９とステータ７０との間の磁束授受部分において発生する磁力によりモータロータ６５が反ポンプロータ方向（図４において右方）へ付勢される。また、モータ部６４におけるモータハウジング１８とモータ出力軸６６との間に設けられたボール７６により、モータ出力軸６６のスラスト位置が規定される。したがって、モータロータ６５のポンプロータ方向（図４において左方）への荷重を低減あるいはキャンセルすることができるので、ポンプロータ４０の摺動抵抗の低減に有利である。
【００３２】
この点について詳述する。例えば、モータロータ６５がポンプロータ方向（図４において左方）へ軸移動すると、モータ出力軸６６によりポンプロータ４０がポンプカバー方向（図４において左方）へ付勢されることにより、ポンプロータ４０の摺動抵抗の増加を招くことが懸念される。しかし、本実施例によれば、前に述べたように、モータロータ６５のポンプロータ方向への荷重を低減あるいはキャンセルすることができるので、モータロータ６５のポンプロータ方向への軸移動によるポンプロータ４０の摺動抵抗の増加を回避することができる。
【実施例５】
【００３３】
次に、本発明の実施例５にかかるラジアルピストンポンプを説明する。本実施例は、図５に示すように、前記実施例３におけるポンプロータ４０に設けたボール６３を省略し、ポンプロータ４０のロータ軸部４２の嵌合連結穴４２ａ内にモータ出力軸３１の連結軸部３１ａを圧入により固定したものである。なお、ポンプロータ４０のロータ軸部４２とモータ出力軸３１の連結軸部３１ａとは、圧入の他、接着、ねじ止め、クリップ止め等により固定することできる。また、ボール６３の省略にともない、ポンプロータ４０の凹部６２を省略することができる。
【００３４】
上記したラジアルピストンポンプによると、モータ部１２における磁石３２とアーマチュアコア３４との間の磁束授受部分において発生する磁力によりアーマチュア３０が反ポンプロータ方向（図５において右方）へ付勢される。これにより、モータ出力軸３１に固定されたポンプロータ４０が反ポンプロータ方向（図５において右方）に移動されるので、ポンプロータ４０の嵌合穴４１の底面とポンプ軸部４４の突出端面４４ａとの間に所定の隙間が確保されるとともに、ポンプカバー１６の内側面１６ａとポンプロータ４０の端面４０ａとの間に所定の隙間が確保される。このため、ポンプロータ４０の嵌合穴４１の底面とポンプ軸部４４の突出端面４４ａとの間に燃料の流通経路が確保されるとともに、ポンプカバー１６の内側面１６ａとポンプロータ４０の端面４０ａとの摺動接触が回避される。なお、磁石３２とアーマチュアコア３４との間の磁束授受部分において発生する磁力は、ポンプロータ４０が受けるモータ部１２の内部空間２６内の燃料圧力に比べて大きいものとする。
【００３５】
また、モータ部１２におけるモータハウジング１８とモータ出力軸３１との間に設けられたボール７６により、モータ出力軸３１及びポンプロータ４０のスラスト位置（とくに、反ポンプロータ方向（図５において右方）に関するスラスト位置）が規定される。
上記した理由により、ポンプカバー１６の内側面１６ａに対するポンプロータ４０の端面４０ａの摺動接触による摺動抵抗を低減し、これによりポンプ効率を向上することができる。
【実施例６】
【００３６】
次に、本発明の実施例６にかかるラジアルピストンポンプを説明する。本実施例は、図６に示すように、前記実施例４におけるポンプロータ４０に設けたボール６３を省略し、ポンプロータ４０のロータ軸部４２の嵌合連結穴４２ａ内にモータ出力軸６６の連結軸部６６ａを圧入により固定したものである。なお、ポンプロータ４０のロータ軸部４２とモータ出力軸６６の連結軸部６６ａとは、圧入の他、接着、ねじ止め、クリップ止め等により固定することできる。
【００３７】
上記したラジアルピストンポンプによると、モータ部６４における磁石６９とステータ７０との間の磁束授受部分において発生する磁力によりモータロータ６５が反ポンプロータ方向（図６において右方）へ付勢される。これにより、モータ出力軸６６に固定されたポンプロータ４０が反ポンプロータ方向（図６において右方）に移動されるので、前記実施例５と同様、ポンプロータ４０の嵌合穴４１の底面とポンプ軸部４４の突出端面４４ａとの間に所定の隙間が確保されるとともに、ポンプカバー１６の内側面１６ａとポンプロータ４０の端面４０ａとの間に所定の隙間が確保される。このため、ポンプロータ４０の嵌合穴４１の底面とポンプ軸部４４の突出端面４４ａとの間に燃料の流通経路が確保されるとともに、ポンプカバー１６の内側面１６ａとポンプロータ４０の端面４０ａとの摺動接触が回避される。なお、磁石６９とステータ７０との間の磁束授受部分において発生する磁力は、ポンプロータ４０が受けるモータ部６４の内部空間２６内の燃料圧力に比べて大きいものとする。
【００３８】
また、モータ部６４におけるモータハウジング１８とモータ出力軸６６との間に設けられたボール７６により、モータ出力軸６６及びポンプロータ４０のスラスト位置（とくに、反ポンプロータ方向（図６において右方）に関するスラスト位置）が規定される。
上記した理由により、ポンプカバー１６の内側面１６ａに対するポンプロータ４０の端面４０ａの摺動接触による摺動抵抗を低減し、これによりポンプ効率を向上することができる。
【００３９】
本発明は前記した実施例に限定されるものではなく、本発明の要旨を逸脱しない範囲における変更が可能である。例えば、ポンプロータ規定手段としてのボール６３は、逆配置すなわちポンプ軸部４４に設けた凹部内に収容し、ポンプロータ４０の嵌合穴４１の底面に摺動及び／又は転動可能に点接触させることができる。また、ポンプロータ規定手段としては、ボール６３（図１〜図４参照）に代えて、ポンプ軸部４４とポンプロータ４０のいずれか一方に設けられ、他方に形成した平面に摺動及び／又は転動可能可能に点接触する球状凸面を採用することが考えられる。
また、モータ出力軸規定手段としてのボール７６は、逆配置すなわちモータ出力軸６６に設けた凹部内に収容し、モータカバー２０の軸受穴３６の底面に摺動及び／又は転動可能に点接触させることができる。また、モータ出力軸規定手段としては、ボール７６（図３〜図６参照）に代えて、モーター出力軸３１，６６とモータカバー２０のいずれか一方に設けられ、他方に形成した平面に摺動及び／又は転動可能可能に点接触する球状凸面を採用することが考えられる。
また、ピストン５７は、球状としたが、プランジャ型ピストンに代えることができる。また、カムプロフィール６０にピストン５７を付勢するスプリングを追加することができる。
【図面の簡単な説明】
【００４０】
【図１】本発明の実施例１にかかるラジアルピストンポンプを示す断面図である。
【図２】本発明の実施例２にかかるラジアルピストンポンプを示す断面図である。
【図３】本発明の実施例３にかかるラジアルピストンポンプを示す断面図である。
【図４】本発明の実施例４にかかるラジアルピストンポンプを示す断面図である。
【図５】本発明の実施例５にかかるラジアルピストンポンプを示す断面図である。
【図６】本発明の実施例６にかかるラジアルピストンポンプを示す断面図である。
【図７】従来例にかかるラジアルピストンポンプを示す断面図である。
【符号の説明】
【００４１】
１０  ポンプ部
１２  モータ部
１４  ポンプハウジング
１８  モータハウジング
３０  アーマチュア
３１  モータ出力軸
３２  磁石
３４  アーマチュアコア
４０  ポンプロータ
４４  ポンプ軸部
６３  ボール（ポンプロータ規定手段）
６４  モータ部
６５  モータロータ
６６  モータ出力軸
６９  磁石
７０  ステータ
７６  ボール（モータ出力軸規定手段）
【図１】
2005220841.tif 000003
【図２】
2005220841.tif 000004
【図３】
2005220841.tif 000005
【図４】
2005220841.tif 000006
【図５】
2005220841.tif 000007
【図６】
2005220841.tif 000008
【図７】
2005220841.tif 000009